(57)【要約】  本発明は、使用者（１０）が少なくとも部分的に上に載るウォータクラフト（１２）に使用者（１０）を固定するための保持装置であって、使用者（１０）の胴体（１６）を取り囲んで案内可能な１つの腰ベルト（１４）と、一方では使用者（１０）の腹部の領域（１８）においてかつ他方では使用者（１０）の背中の領域（２０）において腰ベルト（１４）に取り付けられた２つの股ベルト（２２ａ，２２ｂ）とが設けられていて、該股ベルト（２２ａ，２２ｂ）がそれぞれ使用者（１０）の股（２４）を通して案内可能であり、さらに結合ベルト（２６）が設けられていて、該結合ベルト（２６）がその１つの端部（２８）で、使用者（１０）の腹部の領域（１８）において腰ベルト（１４）に係合し、かつ他方の端部（３０）でウォータクラフト（１２）に枢着可能である。本発明はまた、このような保持装置を備えたウォータクラフトに関する。
2010532693.tif 000002
【特許請求の範囲】
【請求項１】
使用者（１０）が少なくとも部分的に上に載るウォータクラフト（１２）に使用者（１０）を固定するための保持装置であって、
使用者（１０）の胴体（１６）を取り囲んで案内可能な１つの腰ベルト（１４）と、一方では使用者（１０）の腹部の領域（１８）においてかつ他方では使用者（１０）の背中の領域（２０）において腰ベルト（１４）に取り付けられた２つの股ベルト（２２ａ，２２ｂ）とが設けられていて、該股ベルト（２２ａ，２２ｂ）がそれぞれ使用者（１０）の股（２４）を通して案内可能であり、
さらに結合ベルト（２６）が設けられていて、該結合ベルト（２６）がその１つの端部（２８）で、使用者（１０）の腹部の領域（１８）において腰ベルト（１４）に係合し、かつ他方の端部（３０）でウォータクラフト（１２）に枢着可能であることを特徴とする、ウォータクラフト（１２）に使用者（１０）を固定するための保持装置。
【請求項２】
使用者（１０）の腹部の領域（１８）に固定エレメント（３２）が取り付けられていて、該固定エレメント（３２）に結合ベルト（２６）が係合している、請求項１記載の保持装置。
【請求項３】
結合ベルト（１８）が腰ベルトから垂直に、使用者（１０）の胸部（３４）の方向（Ｂ）に延びている、請求項１又は２記載の保持装置。
【請求項４】
結合ベルト（２６）の、ウォータクラフト（１２）に対応配置された端部（３０）が、ウォータクラフト（１２）における結合ポイント（３８）における固定のために働く、アイ、ピン、カラビナ、押しボタン又はこれに類した固定エレメントのための受容部分（３６）を有している、請求項１から３までのいずれか１項記載の保持装置。
【請求項５】
両股ベルト（２２ａ，２２ｂ）が使用者（１０）の股（２４）の領域において、使用者（１０）とは反対の外側（４０ａ，４０ｂ）において互いに固定されている、請求項１から４までのいずれか１項記載の保持装置。
【請求項６】
腰ベルト（１４）が長さ調節可能である、請求項１から５までのいずれか１項記載の保持装置。
【請求項７】
股ベルト（２２ａ，２２ｂ）が長さ調節可能である、請求項１から６までのいずれか１項記載の保持装置。
【請求項８】
結合ベルト（２６）が長さ調節可能である、請求項１から７までのいずれか１項記載の保持装置。
【請求項９】
使用者（１０）が少なくとも部分的に上に載るボディ（４２）を備えたウォータクラフト（１２）であって、
請求項１から８までのいずれか１項記載の保持装置を備えていることを特徴とする、ウォータクラフト。
【請求項１０】
ウォータクラフトのボディが上側に、使用者（１０）のための横臥面（４４）を有している、請求項９記載のウォータクラフト。
【請求項１１】
結合ベルト（２６）が横臥面（４４）の領域に、ボディ（４２）との結合ポイント（３８）を有している、請求項９又は１０記載のウォータクラフト。
【請求項１２】
結合ベルト（２６）が、使用者（１０）の足（４６）の方向（Ｆ）において横臥面（４４）に接続する領域に、ボディ（４２）との結合ポイント（３８）を有している、請求項９から１１までのいずれか１項記載のウォータクラフト。
【請求項１３】
結合ベルト（２６）とボディ（４２）との結合ポイント（３８）が、ウォータクラフト（１２）の長手方向中心軸線（１１）に位置している、請求項９から１２までのいずれか１項記載のウォータクラフト。
【請求項１４】
結合ベルト（２６）とボディ（４２）との結合ポイント（３８）が、ウォータクラフト（１２）の重心（Ｓ）の領域に位置している、請求項９から１３までのいずれか１項記載のウォータクラフト。
【請求項１５】
結合ベルト（２６）がボディ（４２）において、該ボディ（４２）に対してほぼ垂直に延びる軸線（Ａ）を中心にして回転可能に支承されている、請求項９から１４までのいずれか１項記載のウォータクラフト。
【請求項１６】
結合ベルト（２６）とボディ（４２）との間に、クイックリリースバックルもしくはクイックロックが設けられている、請求項９から１５までのいずれか１項記載のウォータクラフト。
【発明の詳細な説明】
【技術分野】
【０００１】
本発明は、使用者が少なくとも部分的に上に載るウォータクラフトに使用者を固定するための保持装置に関する。本発明はまた、このような保持装置を備えたウォータクラフトに関する。
【０００２】
ＷＯ９６／３００８７及びＤＥ１０２００４０４９６１５Ａ１に基づいて、ボディを備えたウォータクラフトが公知である。このようなウォータクラフトでは、使用者はその上半身をウォータクラフトのボディに載せており、下半身は後方に向かって飛び出していて、脚は後方に向かって水の中を延びている。ウォータクラフトのボディ内には、モータ駆動されるウォータスクリュを備えた流路が延びている。この流路は、ボディのバウの領域における流入開口からスターン領域における流出部まで延在している。そして流路におけるウォータスクリュは、バッテリによって給電される電動機によって駆動されて、水流が流路を通して吸い込まれ、ウォータクラフトの走行方向とは逆方向に延びる水流が生ぜしめられる。
【０００３】
水流は、例えば使用者から遠ざけられることができ、ウォータクラフトのボディ（以下においては単にボディと呼ぶ）の形状によって水流は、使用者のそばを導かれることも可能である。このことは、ウォータクラフトによる泳ぎと潜水を容易にする。
【０００４】
使用者がボディに腹這いになっている場合に、使用者は、ボディの両側に配置されているグリップエレメント又はグリップ凹部をしっかりと掴むことができる。グリップエレメントには、ウォータクラフトをコントロールするための操作機構が組み込まれている。走行時には、使用者を後方に向かってウォータクラフトから引き離そうとする力が、使用者の下半身及び脚に対して作用する。使用者は、この力に抗するためにグリップエレメントをしっかりと掴む必要がある。特に、長距離の高速走行時には、このようなことは極めて力を要する。
【０００５】
ゆえに本発明の課題は、ウォータクラフトに使用者を固定するための保持装置を改良して、力を要することなくウォータクラフトで走行することができる保持装置を提供することであり、かつ、このような保持装置を備えたウォータクラフトを提供することである。
【０００６】
この課題を解決するために、請求項１記載の本発明による保持装置では、使用者が少なくとも部分的に上に載るウォータクラフトに使用者を固定するための保持装置において、使用者の胴体を取り囲んで案内可能な１つの腰ベルトと、一方では使用者の腹部の領域においてかつ他方では使用者の背中の領域において腰ベルトに取り付けられた２つの股ベルトとが設けられていて、該股ベルトがそれぞれ使用者の股を通して案内可能であり、さらに結合ベルトが設けられていて、該結合ベルトがその１つの端部で、使用者の腹部の領域において腰ベルトに係合し、かつ他方の端部でウォータクラフトに枢着可能であるようにした。
【０００７】
また、請求項９記載の本発明によるウォータクラフトでは、使用者が少なくとも部分的に上に載るボディを備えたウォータクラフトにおいて、このウォータクラフトが請求項１記載のような保持装置を備えているようにした。
【０００８】
本発明の別の有利な構成は、従属請求項に記載されている。
【０００９】
本発明によれば、保持装置は腰ベルトを有しており、この腰ベルトは、使用者の胴体を取り囲んで案内され、そこでベルトのように腰の領域において固定されることができる。さらに、一方では使用者の腹部の領域においてかつ他方では使用者の背中の領域において腰ベルトに取り付けられた２つの股ベルトが設けられており、両股ベルトがそれぞれ使用者の股を通して案内されることができ、この場合使用者の臀部領域においては快適な接触状態が得られる。
【００１０】
さらに結合ベルトが設けられていて、この結合ベルトはその１つの端部で、使用者の腹部の領域において腰ベルトに係合し、かつ他方の端部でウォータクラフトに枢着されることができる。
【００１１】
結合ベルトによって、使用者とウォータクラフトとの間における、引張り方向では確実なかつ横方向においては可動な枢着部が得られる。ウォータクラフトをコントロールするために必要な横方向における自由な可動性は維持されており、これに対して、走行中に水中において使用者の下半身及び脚に対して作用する引張り力は、結合ベルトによって引張り方向において受け止められる。これによって、ウォータクラフトによる力の要らない楽な走行が可能になる。
【００１２】
腰ベルトと結合ベルトとの間における安定した結合を得るために、本発明の有利な構成では、使用者の腹部の領域に固定エレメントが取り付けられていて、該固定エレメントに結合ベルトが係合している。択一的に、結合ベルトが腰ベルトに直に固定されているような構成も可能である。
【００１３】
結合ベルトが腰ベルトから垂直に、使用者の胸部の方向に延びていると、使用者の胸部領域においてウォータクラフトに結合することが可能になる。
【００１４】
ウォータクラフトへの簡単な操作による結合を可能にするために、本発明の別の有利な構成では、結合ベルトの、ウォータクラフトに対応配置された端部が、アイ、ピン、カラビナ、押しボタン又はこれに類した固定エレメントのための受容部分を有している。この固定エレメントはウォータクラフトにおける結合ポイントでの固定のために働く。
【００１５】
使用者のそれぞれの脚を、各股ベルトと腰ベルトとによって形成されたループにとおして、使用者が２つの股ベルトを簡単に装着できるようにするために、本発明の別の有利な構成では、両股ベルトが使用者の股の領域において、使用者とは反対の外側において互いに固定されている。
【００１６】
また、種々異なった身体サイズ及び種々異なった体格の使用者に、保持装置を適合できるようにするために、腰ベルト及び／又は股ベルト及び／又は結合ベルトが長さ調節可能であると、有利である。
【００１７】
使用者が少なくとも部分的に上に載るボディを備えたウォータクラフトは、本発明によれば、上述のような保持装置を備えている。
【００１８】
この場合ウォータクラフトのボディは上側に、使用者のための横臥面を有していることができ、この横臥面に使用者はその上半身でウォータクラフト上に腹這いになる。
【００１９】
結合ベルトは横臥面の領域に、ボディとの結合ポイントを有していることができる。択一的に結合ベルトは、ボディとの結合ポイントを、使用者の足の方向において横臥面に接続する領域に有していてもよい。
【００２０】
このような配置形式は、ウォータクラフトへの結合ベルトの特に快適な結合を可能にする。それというのは、使用者は横臥ポジションにおいては結合ポイントの上に位置しないからである。
【００２１】
本発明の特に有利な構成では、結合ベルトとボディとの結合ポイントが、ウォータクラフトの長手方向中心軸線に位置している。このように構成されていると、走行中におけるトルクの伝達を効果的に妨げることができる。
【００２２】
ウォータクラフトの特に良好な操縦性を可能にするために、本発明の別の有利な構成では、結合ベルトとボディとの結合ポイントが、ウォータクラフトの重心の領域に位置している。
【００２３】
さらに、使用者が走行中に特にウォータクラフト横方向における良好な可動性を可能にするために、本発明の別の有利な構成では、結合ベルトがボディにおいて、該ボディに対してほぼ垂直に延びる軸線を中心にして回転可能に支承されている。
【００２４】
さらにまた、危険な場合に結合ベルトとウォータクラフトとを可能な限り迅速に切り離すことができるようにするために、結合ベルトとボディとの間に、クイックリリースバックルもしくはクイックロックが設けられていると、有利である。
【００２５】
次に図面を参照しながら本発明の有利な実施例を説明する。
【図面の簡単な説明】
【００２６】
【図１】保持装置を横から見た斜視図である。
【図２】図１に示された保持装置を上から見た斜視図である。
【図３】使用者が走行ポジションに乗っていて、図１及び図２に示された保持装置によってウォータクラフトに固定されている状態における、ウォータクラフトを上から見た図である。
【図４】使用者が走行ポジションに乗っている、図３に示されたウォータクラフトを横から見た斜視図である。
【図５】使用者が走行ポジションに乗っている、図３及び図４に示されたウォータクラフトの一部を拡大して横から見た斜視図である。
【図６】保持装置とウォータクラフトとの間の結合部における第１の位置を示す断面図である。
【図７】保持装置とウォータクラフトとの間の結合部における第２の位置を示す断面図である。
【図８】保持装置とウォータクラフトとの間の結合部における第３の位置を示す断面図である。
【図９】保持装置とウォータクラフトとの間の結合部における第４の位置を示す断面図である。
【００２７】
図１及び図２には、保持装置が互いに異なった方向からの角度で見た斜視図で示されている。図３〜図５には、主として水上で使用される水上乗り物とも呼ぶことができるウォータクラフト（Wasserfahrzeug）１２が異なった斜視図で示されており、ウォータクラフト１２は、このウォータクラフト１２に使用者１０を確保するために働く保持装置を備えている。
【００２８】
この保持装置は主として、複数の繊維ベルトから成っており、これらの繊維ベルトはほぼ引張り弾性を有していない。繊維材料としては、水との接触においてもその材料特性が変わらないプラスチック材料が特に適している。
【００２９】
保持装置は、使用者１０の胴体１６を取り囲むことができる腰ベルト１４を有している。この腰ベルト１４は長さ調節可能であり、この場合調節機構は図示されていない。使用者の腹部の領域１８においては、互いに僅かな間隔をおいて２つの股ベルト２２ａ，２２ｂがその一端で腰ベルト１４に縫い付けられている。両股ベルト２２ａ，２２ｂは、使用者１０の股２４を通って延びることができ、使用者１０の背中の領域２０において他端で腰ベルト１４に縫い付けられている。両股ベルト２２ａ，２２ｂは使用者１０の股２４の領域において、使用者１０とは反対の外側４０ａ，４０ｂにおいて互いに固定されている。そして股ベルト２２ａ，２２ｂも長さ調節可能であるが、調節機構は図示されていない。
【００３０】
使用者１０の腹部の領域１８においては、結合ベルト２６がその１つの端部２８で固定エレメント３２に取り付けられている。この固定エレメント３２はそれ自体腰ベルト１４に取り付けられている。固定エレメント３２はこの場合、端部において腰ベルト１４に縫い付けられている股ベルト２２ａ，２２ｂの間に配置されている。結合ベルト２６は腰ベルト１４から垂直に使用者１０の胸部３４の方向に延びており、このことは図において符号Ｂで示されている。結合ベルト２６は長さ調節可能であり、調節機構２７は図１及び図２に略示されている。
【００３１】
結合ベルト２６はその他方の端部３０で、ウォータクラフト１２に固定することができる。そのために結合ベルト２６の、ウォータクラフト１２に向けられた端部３０は、ウォータクラフト１２における結合ポイント３８に固定するためのピンを受容するための受容部３６を有している。
【００３２】
この受容部３６は択一的に、アイ、カラビナ、押しボタン又はこれに類した固定エレメントを有することができる。
【００３３】
図３〜図５に示されたウォータクラフト１２は、ボディ４２を有しており、このボディ４２に使用者１０はその胸部領域３４で乗る。この場合使用者１０は、ボディ４２の両側に配置されたグリップエレメント４３又はグリップ凹部を掴むことができる。グリップエレメント４３にはウォータクラフト１２の操作機構が組み込まれている。
【００３４】
ウォータクラフト１２のボディ４２はその上側に、使用者１０のための横臥面４４を有している。結合ベルト２６は、使用者１０の足４６の方向（図面において符号Ｆで示されている）において横臥面４４に接続している領域において、結合ポイント３８でボディ４２と結合されている。結合ポイント３８において結合ベルト２６とボディ４２との間には、図６〜図９に詳しく示されたクイックリリースバックルもしくはクイックロックが設けられている。
【００３５】
結合ベルト２６とボディ４２との結合ポイント３８は、ウォータクラフト１２の長手方向中心平面Ｍに位置しており、この長手方向中心平面Ｍは、図３において一点鎖線Ｍで示されている。長手方向中心平面Ｍは、図３において図平面に対して垂直に延びている。付加的に、ボディ４２との結合ベルト２６の結合ポイント３８は、ウォータクラフトの重心Ｓの領域に位置している。
【００３６】
図１及び図２に共に図５から明らかなように、結合ベルト２６はボディ４２に、このボディ４２の長手方向中心軸線に対してほぼ垂直に延びる軸線Ａを中心にして回転可能に支承されている。
【００３７】
図６〜図９には、上に述べたクイックリリースバックルの１実施例が示されている。これらの図面から明らかなように、結合ポイント３８を得るために凹部３８.１がボディ４２に設けられている。この凹部３８.１は例えば横臥面４４の領域において一体に成形されていて、ゆえに防水性を有している。凹部３８.１は受容部３８.５を取り囲んでおり、この受容部３８.５は開口３８.６を通して接近可能である。この受容部３８.５には挿入体３８.２が組み込まれていて、凹部３８.１と堅く結合されている。図示の実施例では、受容部３８.５を画成する環状の側壁と挿入体３８.２の外輪郭との間におけるねじ結合部３８.３が示されている。しかしながらまた、受容部３８.５内に挿入体３８.２を接着により結合することも可能である。
【００３８】
挿入体３８.２は単数又は複数の係止エレメント３８.４を有しており、図示の実施例では１つの環状の係止縁部を有している。係止エレメント３８.３もしくは係止エレメント３８.４は乗上げ斜面を有しており、この乗上げ斜面は急勾配の係止面に移行している。この係止面は、受容部材３６の第２のロックエレメント３６.３の係止斜面に後ろから係合している。
【００３９】
受容部材３６は、例えばハウジングである保持部分３６.１を有している。この保持部分３６.１には両ロックエレメント３６.３が旋回軸受３６.２を用いて固定されている。両ロックエレメント３６.３にはばね（図示せず）が作用していて、ロックエレメントが図６に示された拡開位置において保持されるようになっている。図６に示された右側のロックエレメント３６.３にはリリースレバー３６.４が連結されており、このリリースレバー３６.４は保持部分３６.１に旋回可能に支承されている。リリースレバー３６.４はグリップ３６.５を有している。
【００４０】
受容部分３６が結合ポイント３８に係止されている、図６に示されたロック位置を起点として、リリースレバー３６.４はそのグリップ３６.５において上方に向かって旋回させることができ、この旋回動作は、リリースレバー３６.４が右側のロックエレメント３６.３と作用結合するまで行われる。このようにして、図７に示された運転位置が得られる。リリースレバー３６.４の旋回増大時に、両ロックエレメント３６.３は旋回軸受３６.２を中心にして旋回させられ、その結果両ロックエレメント３６.３は係止エレメント３８.４との係合外に達する（図８参照）。左側のロックエレメント３６.３は噛み合い部３６.６を介して、右側のロックエレメントによって操作される。リリースレバー３６.４の完全な開放旋回時に、受容部分は結合ポイント３８から（挿入体３８.２から）持ち上げられることができる（図９参照）。リリースレバー３６.４に対する負荷がなくなると、リリースレバー３６.４はばね（図示せず）の作用下で、図６に示された出発位置に移動させられる。ばね応力下にあるロックエレメント３６.３もまた、図６に示されている出発位置に戻る。
【００４１】
結合ポイント３８における受容部分３６の連結は簡単に実施可能である。受容部分３６は単に挿入体３８.２内に押し込まれるだけでよい。これによりロックエレメント３６.３はその斜面が、係止エレメント３８.４の乗上げ斜面と接触する。これによってロックエレメント３６.３はばね応力にこうして半径方向外側に向かって旋回させられる。斜面が乗上げ斜面を通過すると、ロックエレメント３６.３の対応面がロックエレメント３６.３の係止面に下からスナップ結合し、その結果図６に示された取付け位置が得られる。
【００４２】
特に図９から分かるように、対応面及び係止面は挿入体３８.２の長手方向中心軸線１１に対して９０°よりも小さな角度をもって傾けられている。これによってパニックリリースつまり非常時における解除を実現することができる。このように構成されていることによって、許容不能に大きな引張り力が結合ベルト２６に対して作用した場合には、ロックエレメント３６.３は自動的に内側に向かって変位させられ、結合ポイント３８に対する結合は解除されることができる。
【００４３】
改善された使用特性を得るために、受容部分３６は挿入体３８.２内において長手方向中心軸線１１を中心にして回転することができる。
【００４４】
図６〜図９に示された図面から明らかなように、結合ベルト２６はその縫い合わされたループ２６.１で、直に、保持部分３６.１のアイに連結されている。
【図１】
2010532693.tif 000003
【図２】
2010532693.tif 000004
【図３】
2010532693.tif 000005
【図４】
2010532693.tif 000006
【図５】
2010532693.tif 000007
【図６】
2010532693.tif 000008
【図７】
2010532693.tif 000009
【図８】
2010532693.tif 000010
【図９】
2010532693.tif 000011
【国際調査報告】
2010532693.tif 000012
2010532693.tif 000013
2010532693.tif 000014
2010532693.tif 000015
2010532693.tif 000016
2010532693.tif 000017